(57)【特許請求の範囲】
【請求項１】
被介護者のベッドの頭部側フレームに取り付けられた取付台座と、この取付台座に装着されたセンサ収納体と、このセンサ収納体の内部に収納されて所定方向に存する被検出体までの距離に応じた信号を出力可能な距離センサと、この距離センサの出力信号に基づき前記被介護者が離床準備動作中であるか否かを判定し、離床準備動作中と判定したときに報知信号を出力する判定通報手段とを備え、
かつ、前記取付台座に前記ベッドの幅方向に沿って延在するガイド部が設けられており、前記センサ収納体が前記延在方向へスライド移動可能な係合状態で前記ガイド部に支持されていると共に、前記センサ収納体の前記スライド移動を阻止する止め具が前記取付台座に取着されていることを特徴とする被介護者動作検出装置。
【請求項２】
請求項１の記載において、前記距離センサが、光源と半導体位置検出素子とを備えたＰＳＤセンサであることを特徴とする被介護者動作検出装置。
【請求項３】
請求項２の記載において、前記センサ収納体が、前記ＰＳＤセンサを収納して位置決め可能な本体部と、この本体部に嵌め込まれて前記ＰＳＤセンサを保持可能な保持部とを組み合わせて構成され、前記本体部に前記光源と前記半導体位置検出素子を臨出させるための透孔が形成されていると共に、この本体部の外方へ突出する前記保持部の一部が前記ガイド部にスライド移動可能に係合していることを特徴とする被介護者動作検出装置。
【請求項４】
請求項１〜３のいずれか１項の記載において、前記ガイド部が蟻溝状のガイド溝として形成されていると共に、このガイド溝と摺動可能に嵌合する脚部が前記センサ収納体に突設されていることを特徴とする被介護者動作検出装置。
【請求項５】
請求項４の記載において、前記止め具が自身の弾性で前記ガイド溝に圧着されていることを特徴とする被介護者動作検出装置。
【発明の詳細な説明】
【技術分野】
【０００１】
本発明は、ベッドに横たわっていることが多い被介護者の離床動作を未然に検出して転落事故や徘徊を防止するための被介護者動作検出装置に関する。
【背景技術】
【０００２】
例えば認知症でベッドに横たわっていることが多い被介護者は、歩行が困難であるにも拘らずベッドから離床しようとして転落したり、看護士等の介護者の気付かぬ間に離床して徘徊し事故に遭遇する可能性がある。そこで従来より、焦電型赤外線センサを備えた検出装置をベッドの近傍に設置し、被介護者がベッド上で起き上がって離床しようとした場合、この被介護者から放出される微弱な赤外線を検知して離床準備動作の有無が判定できるようにした被介護者動作検出装置が提案されている（例えば、特許文献１参照）。
【０００３】
かかる従来の被介護者動作検出装置では、ベッド上で上半身を起こした被介護者の首や頭部から放出される微弱な赤外線を検知できる高さ位置に焦電型赤外線センサを固定しておき、この焦電型赤外線センサで検知された信号をＣＰＵ（中央演算処理装置）に入力する。そして、このＣＰＵが、焦電型赤外線センサの出力信号（出力波形）を閾値との関係で解析処理することによって被介護者の動作を判定し、離床準備動作と判定した場合には、無線通信や通信回線を介して最寄りの介護者に報知できるようになっている。
【先行技術文献】
【特許文献】
【０００４】
【特許文献１】特開２００９−７７９０８号公報
【発明の概要】
【発明が解決しようとする課題】
【０００５】
しかしながら、前述した従来の被介護者動作検出装置は、被介護者のベッドの近傍で該ベッドの全高よりもやや高い位置に据え付けられるため目立ちやすく、それゆえ被介護者にとって該検出装置が監視カメラや不審物などと認識される虞があった。その場合、被介護者に不快感を与えてしまうため、被介護者動作検出装置が病状を悪化させる要因ともなりかねず、さらに、被介護者が怒って該検出装置を破損しようと危険な行為を試みることも十分に考えられる。また、被介護者が該検出装置を口に入れてしまうという危険性もある。
【０００６】
また、かかる従来の被介護者動作検出装置は、ベッド上の所定の高さで被介護者から放出される微弱な赤外線を検出し、その検出信号の出力波形を解析することによって被介護者の動作を判定するというものなので、複雑な判定処理回路が必要で判定結果の出力に若干の時間を要するという問題があった。つまり、レスポンス（応答性）が若干遅いため、被介護者の離床準備動作を検出したときに介護者への報知が遅れて転落事故等を防止できない虞があった。
【０００７】
また、かかる従来の被介護者動作検出装置では、上記の如くセンサ部（焦電型赤外線センサ）の出力波形に基づく複雑な判定処理を行う関係上、センサ部の設置場所を慎重に選定しなければならないが、被介護者のベッド周りの環境はさまざまであり、センサ部を所望位置に設置できないこともある。また、被介護者のベッドの位置が変更された場合には、センサ部を新たな位置に設置し直すために煩雑な作業を余儀なくされることになる。それゆえ、かかる従来の被介護者動作検出装置は、介護現場の多様な環境に対応させにくいという使い勝手の悪さがあった。
【０００８】
本発明は、このような従来技術の実情に鑑みてなされたもので、その目的は、被介護者の離床準備動作を速やかに報知できると共に、センサ部を所望位置に配置させることが容易で使い勝手がよく、しかも目立たぬように設置できてトラブルを招来しにくい被介護者動作検出装置を提供することにある。
【課題を解決するための手段】
【０００９】
上記の目的を達成するために、本発明の被介護者動作検出装置は、被介護者のベッドの頭部側フレームに取り付けられた取付台座と、この取付台座に装着されたセンサ収納体と、このセンサ収納体の内部に収納されて所定方向に存する被検出体までの距離に応じた信号を出力可能な距離センサと、この距離センサの出力信号に基づき前記被介護者が離床準備動作中であるか否かを判定し、離床準備動作中と判定したときに報知信号を出力する判定通報手段とを備え、かつ、前記取付台座に前記ベッドの幅方向に沿って延在するガイド部が設けられており、前記センサ収納体が前記延在方向へスライド移動可能な係合状態で前記ガイド部に支持されていると共に、前記センサ収納体の前記スライド移動を阻止する止め具が前記取付台座に取着されているという構成にした。
【００１０】
このように構成された被介護者動作検出装置は、ベッド上の特定の場所で行われる被介護者の離床準備動作を距離センサの出力信号に基づいて検出する。すなわち、通常、被介護者のベッドの両側部には落下防止用のサイドガードが付設されており、被介護者がベッドから離床できる場所は限定されている。また、実際にはベッドの配置や被介護者の習性などにより、ベッドのいずれか一方の側部だけから離床しようとすることが非常に多い。したがって、被介護者がベッド上に起き上がって離床準備動作を始めると、普段は被検出体が存しないベッド上の特定の場所に被介護者の上半身が存するようになる。それゆえ、この特定の場所における被検出体の有無を距離センサで検知すれば、被介護者の離床準備動作を検出できることになり、よって判定通報手段は複雑な解析処理を行わなくても、被介護者が離床準備動作中であるか否かを瞬時に判定することができ、最寄りの介護者への報知が迅速に行える。
【００１１】
また、この被介護者動作検出装置は、取付台座がベッドの頭部側フレームに固定されていると共に、距離センサを収納したセンサ収納体が取付台座に装着されているため、これら取付台座やセンサ収納体をベッドの一部ないし装飾物に見立てた外観に形成するなどして、該検出装置を目立たぬように設置することが容易である。なお、該検出装置をベッドの足元側フレームに固定して使用することも不可能ではないが、被介護者のベッドの足元側には布団類が積み上げられていることが多いため、距離センサの前方視界が塞がれる可能性が極めて高くなってしまい好ましくない。
【００１２】
また、この被介護者動作検出装置は、距離センサを収納したセンサ収納体が、ベッドの幅方向に沿ってスライド移動可能な係合状態で取付台座のガイド部に支持されているため、被介護者が離床準備動作を行う特定の場所に応じた所望位置に距離センサを配置させることが容易であり、センサ収納体の固定も止め具によって簡単に行えるので、使い勝手がよい。また、該検出装置はベッドに直接取り付けられているため、ベッド周りの環境に制約されにくく、ベッドの位置が変更された場合でも、該検出装置を新たに取り付け直す必要はない。
【００１３】
上記の構成において、距離センサが、光源と半導体位置検出素子（ＰＳＤ素子）とを備えたＰＳＤセンサであると、レスポンスが非常に速くて高分解能かつ小型の距離センサによって、ベッド上の特定の場所における被検出体の有無を検知できるようになるため、検出精度ならびに報知の迅速性を高めることができて好ましい。この場合において、センサ収納体が、ＰＳＤセンサを収納して位置決め可能な本体部と、この本体部に嵌め込まれてＰＳＤセンサを保持可能な保持部とを組み合わせて構成され、本体部にＰＳＤセンサの光源と半導体位置検出素子を臨出させるための透孔が形成されていると共に、この本体部の外方へ突出する保持部の一部が取付台座のガイド部にスライド移動可能に係合していると、ＰＳＤセンサの機能を損なわずに収納・保持できてガイド部に沿うスライド移動も円滑に行える簡素な構造のセンサ収納体が容易に実現できる。
【００１４】
また、上記の構成において、ガイド部が蟻溝状のガイド溝として形成されていると共に、このガイド溝と摺動可能に嵌合する脚部がセンサ収納体に突設されていると、センサ収納体が脱落の虞なくガイド溝の延在方向に沿ってスライド移動可能となるため好ましい。この場合において、止め具が自身の弾性でガイド溝に圧着される構成にすると、センサ収納体を所定位置に固定する際に、脚部と隣接する位置でガイド溝に止め具を圧着させるだけでよいため、距離センサを所望位置に配置させる作業が極めて容易に行えるようになる。ただし、取付台座のガイド部はガイド溝に限定されるわけではなく、例えば、ガイド部として取付台座に設けたガイドレールやガイドシャフトにセンサ収納体をスライド移動可能に係合させるという構成にすることも可能である。
【発明の効果】
【００１５】
本発明の被介護者動作検出装置によれば、ベッド上の特定の場所で行われる被介護者の離床準備動作を、ＰＳＤセンサ等の距離センサの出力信号に基づいて判定通報手段が検出する。そのため、複雑な解析処理を行わなくても、被介護者が離床準備動作中であるか否かを瞬時に判定することができ、最寄りの介護者への報知が迅速に行える。つまり、この被介護者動作検出装置はレスポンス（応答性）が速いため、被介護者が離床準備動作を始めたときに、手遅れにならないうちに介護者が急行できて実用的価値が高い。また、この被介護者動作検出装置は、取付台座がベッドの頭部側フレームに固定されていると共に、距離センサを収納したセンサ収納体が取付台座に装着されているため、これら取付台座やセンサ収納体をベッドの一部ないし装飾物に見立てた外観に形成するなどして、目立たぬように設置することが容易であり、それゆえトラブルを招来しにくい。また、この被介護者動作検出装置は、センサ収納体がベッドの幅方向に沿ってスライド移動可能な係合状態で取付台座のガイド部に支持されているため、被介護者が離床準備動作を行う特定の場所に応じた所望位置に距離センサを配置させることが容易であり、センサ収納体の固定も止め具によって簡単に行えるので、使い勝手がよい。また、この被介護者動作検出装置は、ベッドに直接取り付けられてベッド周りの環境に制約されにくいため、介護現場の多様な環境に対応させやすくなり、この点でも使い勝手がよい。
【図面の簡単な説明】
【００１６】
【図１】本発明の実施形態例に係る被介護者動作検出装置の使用例を示す説明図である。
【図２】図１の要部拡大図である。
【図３】該検出装置の全体構成を示す側面図である。
【図４】該検出装置の上面図である。
【図５】該検出装置の下面図である。
【図６】該検出装置のセンサ収納体を示す外観図である。
【図７】距離センサを収納した該センサ収納体の断面図である。
【図８】該センサ収納体の側面図である。
【図９】該センサ収納体から保持部を取り外して距離センサを露出させた状態を示す要部下面図である。
【図１０】図９において距離センサを取り外した状態を示す要部下面図である。
【図１１】距離センサを図示省略した該センサ収納体の要部正面図である。
【図１２】図１１のＡ−Ａ線に沿う断面図である。
【図１３】図１１のＢ−Ｂ線に沿う断面図である。
【図１４】該センサ収納体を固定するために用いられる止め具の上面図である。
【図１５】該止め具の側面図である。
【図１６】該止め具の正面図である。
【図１７】該検出装置の検出動作を説明するためのフローチャートである。
【図１８】該センサ収納体の変形例を示す外観図である。
【発明を実施するための形態】
【００１７】
以下、本発明の実施形態例を図面を参照して説明する。図１〜図５に示すように、本実施形態例に係る被介護者動作検出装置１は、被介護者１５のベッド２０の頭部側フレーム２１に取り付けて使用される。この検出装置１は、認知症などでベッド２０に横たわっていることが多い被介護者１５の離床動作を未然に検出して、転落事故や徘徊を防止するためのものである。
【００１８】
まず、被介護者動作検出装置１の全体構成について説明する。この検出装置１は、取付金具２を用いてベッド２０の頭部側フレーム２１に固定された取付台座３（図３参照）と、取付台座３のガイド溝３ａに係合する保持部４を角柱状の本体部５に嵌め込んで組み立てられたセンサ収納体６（図６参照）と、センサ収納体６の内部に収納されたＰＳＤ（Position Sensitive Detector）センサ７（図７参照）と、ガイド溝３ａに圧着されてセンサ収納体６のスライド移動を阻止している止め具８（図４参照）と、ケーブル１０を介してＰＳＤセンサ７と電気的に接続されたコントローラ９（図３参照）とによって主に構成されている。
【００１９】
取付台座３は、その凹所３ｂにベッド２０の頭部側フレーム（ヘッドボード）２１を遊挿して該フレーム２１に被せた後、裏面側から取付金具２を締め付けることによって該フレーム２１に強固に取り付けられている。この取付台座３は頭部側フレーム２１と同様に木材を加工して形成されており、該フレーム２１に被せた状態で取付台座３の長手方向がベッド２０の幅方向となり、かつ取付台座３の長手寸法はベッド２０の幅寸法と略同等に設定されている。それゆえ、この取付台座３は、頭部側フレーム２１に取り付けると該フレーム２１のカバーのような外観を呈する。また、取付台座３の上面部には、その長手方向に沿って直線状に延びるガイド溝３ａが刻設されている。図２に示すように、ガイド溝３ａの断面形状は上辺よりも下辺が長い台形状で奥側が拡幅されているため、このガイド溝３ａはいわゆる蟻溝となっている。
【００２０】
センサ収納体６を構成している本体部５と保持部４も木材を加工して形成されており、本実施形態例では、センサ収納体６の外観が玩具の列車を模したものとなっている。図６〜図１３に示すように、センサ収納体６の本体部５の中央部には、ＰＳＤセンサ７が組み込まれる収納室５ａが設けられており、本体部５の前面側（ベッド２０上を臨む側）の壁部には、ＰＳＤセンサ７の光源（ＬＥＤ）７ａと半導体位置検出素子（ＰＳＤ素子）７ｂを臨出させるための一対の透孔５ｂが穿設されている。また、保持部４には、収納室５ａの一部に嵌め込まれる板状部４ａと、板状部４ａから下方へ突出する断面視台形状の脚部４ｂとが形成されている。板状部４ａは収納室５ａ内でＰＳＤセンサ７を保持しており、脚部４ｂはガイド溝３ａと摺動可能に嵌合している。
【００２１】
本体部５の収納室５ａにＰＳＤセンサ７を組み込む際には、まず、本体部５を天地逆向きにして、透孔５ｂと対向する内壁面５ｃ（図１０参照）に沿ってＰＳＤセンサ７を収納室５ａ内の最奥まで挿入した後、該内壁面５ｃから離れる向きにＰＳＤセンサ７をスライドさせることによって、図９に示すように該センサ７の耳部７ｃを収納室５ａの位置決め部５ｄに押し当てる。これにより、ＰＳＤセンサ７が収納室５ａ内で前後方向および横方向に位置決めされるため、光源７ａと半導体位置検出素子７ｂをそれぞれ対応する透孔５ｂに臨出させることができる。しかる後、保持部４の板状部４ａを収納室５ａの内壁面５ｃ沿いの空間に差し込んで嵌着させることによって、図７に示すようにＰＳＤセンサ７が上下方向にも位置決めされるため、該センサ７は所定位置に保持された状態となり、かつ、保持部４と本体部５とが一体化されるためセンサ収納体６の組立ても完了する。なお、このセンサ収納体６は列車を模して形成されているため、本体部５の前後の壁面に透孔５ｂに似せた複数の盲穴５ｅが列状に刻設されている。これら盲穴５ｅは透孔５ｂも含めて視覚的に列車の窓をイメージさせる役割を果たしているが、盲穴５ｅ自体は該検出装置１の検出機構とは無関係である。このように玩具の列車を模した木製のセンサ収納体６が取付台座３上に装着されているため、センサ収納体６はベッド２０の頭部側フレーム２１の装飾物のような外観を呈する。
【００２２】
センサ収納体６の下面側に突出する複数の脚部４ｂは、前述したように取付台座３のガイド溝３ａと摺動可能に嵌合しているため、センサ収納体６はガイド溝３ａに沿って円滑にスライド移動させることができる。また、脚部４ｂの上方移動がガイド溝３ａによって規制されるため、センサ収納体６は上方へ引き抜けないようになっている。ただし、該検出装置１を使用する際には、センサ収納体６を取付台座３上に固定しておく必要があるので、図４に示すように、センサ収納体６の左右両側でガイド溝３ａに止め具８を圧着させることによって、センサ収納体６のスライド移動を阻止している。すなわち、センサ収納体６の複数の脚部４ｂのうち、最も右側に位置する脚部４ｂの右隣と最も左側に位置する脚部４ｂの左隣とにそれぞれ止め具８を配置させ、これら止め具８を自身の弾性でガイド溝３ａに圧着させることにより、脚部４ｂがガイド溝３ａに沿ってスライド移動できないようにしている。
【００２３】
図１４〜図１６に示すように、止め具８は、ゴム等の弾性部材８ｂを嵌め込んだスリット８ａを有する断面視台形状の棒状体である。スリット８ａは止め具８の全長の半分程度切れ込んでおり、スリット８ａを挟んで対向する二股状の薄肉部８ｃ，８ｄの間隔は弾性部材８ｂを加圧して圧縮させることにより若干狭めることができる。ただし、無負荷状態では二股状の薄肉部８ｃ，８ｄが弾性部材８ｂに押し広げられるため、止め具８の高さ寸法はスリット８ａ側の端部が他端部よりも大きくなる。ガイド溝３ａの高さ寸法との比較で、止め具８の該他端部の高さ寸法はガイド溝３ａよりも僅かに小さく設定されているが、無負荷状態における止め具８のスリット８ａ側の端部の高さ寸法はガイド溝３ａよりも若干大きくなる。したがって、この止め具８をガイド溝３ａに取着する際には、弾性部材８ｂを手指等で加圧して圧縮させた状態で、止め具８をガイド溝３ａの所定位置まで移動させた後、加圧力を除去すればよい。こうすることにより、圧縮されていた弾性部材８ｂが膨らんで二股状の薄肉部８ｃ，８ｄを押し広げるため、止め具８を自身の弾性でガイド溝３ａの内壁に圧着させることができる。
【００２４】
ＰＳＤセンサ７は、光源７ａから出射されて被検出体で反射された光を半導体位置検出素子７ｂで検知することにより、被検出体までの距離を三角測距方式で測定できるという公知の距離センサである。このＰＳＤセンサ７によって、ベッド２０上の特定の場所における被検出体の有無を検知する。一般的に被介護者はベッド上の特定の場所に上半身を移動させてから離床するので、被介護者の身長、座高等の入所時に測定した身体的特徴（データ）から頭部、上半身、脚部、下半身等の起き上がるのに必要な可動部位の領域を割り出し、この領域と被介護者の習癖等を考慮して特定の場所を任意に設定することにより、個々の被介護者に合わせた適切な動作検知を行うことができる。例えば、図１に示すように、使用するベッド２０の頭部側フレーム（ヘッドボード）２１から足元側フレーム（フットボード）２２に至る全長が１８００ｍｍで、その左右両側にそれぞれ長さ６００ｍｍのサイドガード２３が６００ｍｍの間隔を置いて２個ずつ取り付けられている場合、標準的なケースとして、被介護者１５がベッド２０の右側部に配置された２個のサイドガード２３で挟まれた空間を利用して上り下りすることが想定されるため、このケースでの特定の場所は２個のサイドガード２３で挟まれた長さ６００ｍｍの空間となる。この標準的なケースにおいては、頭部側フレーム２１に固定された取付台座３の右側位置にＰＳＤセンサ７を配置し、ＰＳＤセンサ７でカバーできる検知範囲を頭部側フレーム２１から６００〜１２００ｍｍ、好ましくは７００〜１１００ｍｍとすると共に、ＰＳＤセンサ７で検知できないキャンセル範囲を頭部側フレーム２１の後方６００ｍｍと足元側フレーム２２の手前６００ｍｍとすれば良い。また、特殊なケースとして、被介護者が頭部側フレーム２１寄りのサイドガード２３の近傍に配置されたタンス（図示せず）から物を取り出す習癖のある場合は、ＰＳＤセンサ７でカバーできる検知範囲を頭部側フレーム２１から１２００ｍｍまで広げると共に、ＰＳＤセンサ７で検知できないキャンセル範囲を足元側フレーム２２の手前６００ｍｍとすれば良い。あるいは、被介護者が足元側フレーム２２寄りのサイドガード２３を乗り越えるす習癖のある場合は、ＰＳＤセンサ７でカバーできる検知範囲を頭部側フレーム２１から６００〜１８００ｍｍまで広げると共に、ＰＳＤセンサ７で検知できないキャンセル範囲を頭部側フレーム２１の後方６００ｍｍとすれば良い。このように検知対象となる個々の被介護者の事情に合わせて特定の場所を任意に設定し、この特定の場所における被検出体の有無を検知できるようにＰＳＤセンサ７を配置させておけばよい。すなわち、被介護者１５がベッド２０から離床しようとしていない通常時には、該特定場所に光源７ａの光を反射する被検出体は存在しないので、半導体位置検出素子７ｂが該特定場所に被検出体を検知したときには、その被検出体が離床準備動作中の被介護者１５の上半身であると判断することができる。なお、本実施形態例では、ＰＳＤセンサ７を収納するセンサ収納体６を取付台座３の長手方向中央部に配置させているが、被介護者１５の離床準備動作がベッド２０上の一側部に限られる場合は、センサ収納体６を該一側部に相当する取付台座３の長手方向一端寄りの位置に装着しておくことによって検出精度を高めることができる。また、取付台座３の取付高さは被介護者１５の座高の１／３〜１／２の範囲で取付金具によって上下位置の固定をすることが好ましく、このような取付高さに設定することによって動作検知の精度を高めることができる。
【００２５】
コントローラ９は、図３に示すように、ベッド２０の底部等の目に付かない場所に取り付けておく。ＰＳＤセンサ７の半導体位置検出素子７ｂの出力信号がケーブル１０を介してコントローラ９に入力され、この出力信号に基づいてコントローラ９が、被介護者１５が離床準備動作中であるか否かを判定するようになっている。また、このコントローラ９は報知信号を出力可能であり、被介護者１５が離床準備動作中であると判定したときに、コントローラ９がナースコールの通信回線や無線通信を介して、最寄りの介護者がいるナースセンター等へ報知信号を通報できるようになっている。
【００２６】
すなわち、本実施形態例に係る被介護者動作検出装置１の検出動作は、図１７のフローチャートに示すように、まずステップＳ１において、ＰＳＤセンサ７がベッド２０上の特定の場所における被検出体の有無を検知し、検知の有無を示す信号をコントローラ９へ出力する。ステップＳ２ではコントローラ９が、ＰＳＤセンサ７からの出力信号に基づいて、被介護者１５が離床準備動作中であるか否かを判定する。コントローラ９の判定結果が「ＮＯ」のときにはステップＳ１へ戻るが、判定結果が「ＹＥＳ」のときにはステップＳ３へ進み、コントローラ９から外部（例えばナースセンター）へ報知信号が通報される。
【００２７】
以上説明したように本実施形態例に係る被介護者動作検出装置１では、ベッド２０上で被介護者１５が離床準備動作中であるか否かを、ＰＳＤセンサ７の出力信号に基づいてコントローラ９が判定する。前述したように、一般的に被介護者はベッド上の特定の場所に上半身を移動させてから離床するので、被介護者１５がベッド２０上に起き上がって離床準備動作を始めると、普段は被検出体が存しないベッド２０上の特定の場所に被介護者１５の上半身が存するようになる。したがって、この特定の場所における被検出体の有無をＰＳＤセンサ７で検知すれば、被介護者１５の離床準備動作を検出できることになる。その結果、コントローラ９は複雑な解析処理を行わなくても、被介護者１５が離床準備動作中であるか否かを瞬時に判定することができて、最寄りの介護者（ナースセンター等）への報知が迅速に行える。
【００２８】
また、この被介護者動作検出装置１は、取付台座３がベッド２０の頭部側フレーム２１に固定されていると共に、ＰＳＤセンサ７を収納したセンサ収納体６が取付台座３に装着されている。そして、これら取付台座３やセンサ収納体６がベッド２０の一部ないし装飾物に見立てた外観に形成されているため、この検出装置１は既存のベッド２０に新たに設置しても目立たず、少なくとも監視カメラや不審物などと認識される虞はない。それゆえ、被介護者１５に不快感を与えたりトラブルを招来する虞がなく、介護者は被介護者１５がベッド２０へ戻った際に自然な感じでお世話することが可能となる。
【００２９】
また、この被介護者動作検出装置１は、ＰＳＤセンサ７を収納したセンサ収納体６が、ベッド２０の幅方向に沿ってスライド移動可能な係合状態で取付台座３のガイド溝３ａに支持されており、被介護者１５が離床準備動作を行う特定の場所に応じた所望位置へＰＳＤセンサ７を配置させる際には、蟻溝状のガイド溝３ａに沿って脚部４ｂを摺動させればよく、センサ収納体６が脱落することはない。しかも、止め具８を自身の弾性でガイド溝３ａに圧着させるだけで、センサ収納体６を簡単に固定できるようになっている。それゆえ、この検出装置１は、ＰＳＤセンサ７を所望位置に配置させる作業が極めて容易に行えて、使い勝手がよい。また、この検出装置１はベッド２０に直接取り付けられており、ベッド２０の周りの環境に制約されにくく、ベッド２０の位置が変更された場合でも新たに取り付け直す必要がないので、この点からも検出装置１は使い勝手がよい。
【００３０】
また、この被介護者動作検出装置１では、レスポンス（応答性）が非常に速く高分解能かつ小型のＰＳＤセンサ７によって、ベッド２０上の特定の場所における被検出体の有無を検知できるため、検出精度ならびに報知の迅速性を高めることができる。しかも、ＰＳＤセンサ７は距離センサなので、離床準備動作が行われるベッド２０上の特定の場所までの距離に応じて検出範囲を適宜設定することができる。それゆえ、この検出装置１を取り付けたベッド２０の隣に設置されているベッド上での被介護者の離床準備動作を検出することも可能である。
【００３１】
また、この被介護者動作検出装置１では、センサ収納体６が、ＰＳＤセンサ７を収納して位置決め可能な本体部５と、この本体部５に嵌め込まれてＰＳＤセンサ７を保持可能な保持部４とを組み合わせて構成され、本体部５にＰＳＤセンサ７の光源７ａと半導体位置検出素子７ｂを臨出させるための透孔５ｂが形成されていると共に、本体部５の下方へ突出する保持部４の脚部４ｂが取付台座３のガイド溝３ａにスライド移動可能に係合している。それゆえ、ＰＳＤセンサ７の機能を損なわずに収納・保持できてガイド溝３ａに沿うスライド移動も円滑に行える簡素な構造のセンサ収納体６が容易に実現できる。
【００３２】
なお、ガイド溝３ａはセンサ収納体６をベッド２０の幅方向に沿って案内するためのものであるが、別のガイド手段で同様の機能を実現してもよい。例えば、取付台座３に設けたガイドレールやガイドシャフトにセンサ収納体６をスライド移動可能に係合させるという構成にすることも可能である。
【００３３】
また、上記の実施形態例では、センサ収納体６の本体部５が列車を模して形成されており、その中央部だけにＰＳＤセンサ（距離センサ）用の収納室５ａが設けられているが、複数箇所に収納室５ａを設けて複数のＰＳＤセンサを収納してもよく、列車以外の外観形状に加工したセンサ収納体６であってもよい。また、図１８の変形例に示すように、ＰＳＤセンサ用の収納室が設けられていないダミー部分を省略してセンサ収納体６を短く形成してもよい。
【符号の説明】
【００３４】
１  被介護者動作検出装置
２  取付金具
３  取付台座
３ａ  ガイド溝（ガイド部）
４  保持部
４ａ  板状部
４ｂ  脚部
５  本体部
５ａ  収納室
５ｂ  透孔
５ｄ  位置決め部
５ｅ  盲穴
６  センサ収納体
７  ＰＳＤセンサ（距離センサ）
７ａ  光源（ＬＥＤ）
７ｂ  半導体位置検出素子（ＰＳＤ素子）
８  止め具
８ａ  スリット
８ｂ  弾性部材
９  コントローラ（判定通報手段）
１５  被介護者
２０  ベッド
２１  頭部側フレーム
２２  足元側フレーム
２３  サイドガード
【図１】
0005508967.tif 000002
【図２】
0005508967.tif 000003
【図３】
0005508967.tif 000004
【図４】
0005508967.tif 000005
【図５】
0005508967.tif 000006
【図６】
0005508967.tif 000007
【図７】
0005508967.tif 000008
【図８】
0005508967.tif 000009
【図９】
0005508967.tif 000010
【図１０】
0005508967.tif 000011
【図１１】
0005508967.tif 000012
【図１２】
0005508967.tif 000013
【図１３】
0005508967.tif 000014
【図１４】
0005508967.tif 000015
【図１５】
0005508967.tif 000016
【図１６】
0005508967.tif 000017
【図１７】
0005508967.tif 000018
【図１８】
0005508967.tif 000019